(57)【特許請求の範囲】
【請求項１】
液晶表示パネルと、前記液晶表示パネルの一方の面側に配置されるバックライトと、前記バックライトの前記液晶表示パネルに対抗する面と反対側の面に搭載され、前記バックライトの点灯制御を行なう電源制御回路基板を備え、
前記バックライトは、フレーム部材と、当該フレーム部材内に並列に配置された複数の棒状光源と、前記複数の棒状光源の一方の端に電気的に接続された第１の電極支持材と、前記複数の棒状光源の他方の端に電気的に接続された第２の電極支持材を有し、
前記フレーム部材の一部に、前記第１電極支持材および第２電極支持材のうちの少なくとも一方と前記電源制御回路基板とを電気的に接続する配線が配置される配線ガイド部材が設けられ、
前記配線ガイド部材は、前記配線が配置される溝状の凹陥部と、当該凹陥部とは異なる位置に設けられ、前記凹陥部に配置された配線が前記電源制御回路基板に接続されていない場合に前記配線を固定させる配線仮固定部が設けられている
ことを特徴とする液晶表示装置。
【請求項２】
前記配線の両端には、第１のコネクタと第２のコネクタを備え、
前記第１電極支持材は、第３のコネクタを備え、
前記第２電極支持材は、第４のコネクタを備え、
前記電源制御回路基板は、第５のコネクタと第６のコネクタを備え、
前記電源制御回路基板が、前記バックライトに接続されている場合には、前記第１のコネクタは前記第５のコネクタに結合され、
前記電源制御回路基板が、前記バックライトに接続されていない場合には、前記配線の前記第１のコネクタ側の端部は、前記配線仮固定部に固定されることを特徴とする請求項１に記載の液晶表示装置。
【請求項３】
前記配線配置部は、前記配線ガイド部内の片側の壁面に寄せて形成され、前記配線仮固定部は、前記配線配置部が形成された側の壁面と反対側の前記配線ガイド部の壁面に形成されることを特徴とする請求項１に記載の液晶表示装置。
【請求項４】
前記配線仮固定部は、前記配線ガイド部材の長手方向に複数設けられていることを特徴とする請求項３に記載の液晶表示装置。
【請求項５】
液晶表示パネルと、前記液晶表示パネルの一方の面側に配置されるバックライトと、前記バックライトの前記液晶表示パネルに対抗する面と反対側の面に搭載され、前記バックライトの点灯制御を行なう電源制御回路基板を備え、
前記バックライトは、フレーム部材と、当該フレーム部材内に並列に配置された複数の棒状光源と、前記複数の棒状光源の一方の端に電気的に接続された第１の電極支持材と、前記複数の棒状光源の他方の端に電気的に接続された第２の電極支持材を有し、
前記フレーム部材の一部に、前記第１電極支持材および第２電極支持材のうちの少なくとも一方と前記電源制御回路基板とを電気的に接続する配線が配置される配線ガイド部材が設けられ、
前記配線の前記電源制御回路基板に接続される端部には第１のコネクタが形成され、
前記配線ガイド部材は、前記配線が配置される溝状の凹陥部と、当該凹陥部とは異なる位置に設けられ、前記凹陥部に配置された配線が前記電源制御回路基板に接続されていない場合に前記第１のコネクタが差込可能なコネクタ仮固定部を備える
ことを特徴とする液晶表示装置。
【請求項６】
前記配線の両端には、前記第１のコネクタと第２のコネクタを備え、
前記第１電極支持材は、第３のコネクタを備え、
前記第２電極支持材は、第４のコネクタを備え、
前記電源制御回路基板は、第５のコネクタと第６のコネクタを備え、
前記電源制御回路基板が、前記バックライトに接続されている場合には、前記第１のコネクタは前記第５のコネクタに結合され、
前記電源制御回路基板が、前記バックライトに接続されていない場合には、前記第１のコネクタは前記コネクタ仮固定部に接続されることを特徴とする請求項５に記載の液晶表示装置。
【請求項７】
前記配線配置部は、前記配線ガイド部内の片側の壁面に寄せて形成され、前記コネクタ仮固定部は、前記配線配置部が形成された側の壁面と反対側の前記配線ガイド部の壁面に形成されることを特徴とする請求項５に記載の液晶表示装置。
【請求項８】
前記配線ガイド部材は、前記棒状光源の長手方向と一致する前記フレーム部材の一対の辺のうち何れかの辺に沿って取り付けられていることを特徴とする請求項１あるいは５に記載の液晶表示装置。
【請求項９】
前記配線配置部の壁面に、前記配線の移動を規制する為の凸部が複数備えられていることを特徴とする請求項１あるいは５に記載の液晶表示装置。
【発明の詳細な説明】
【技術分野】
【０００１】
本発明は液晶表示装置に係り、いわゆる直下型のバックライトを備える液晶表示装置に関する。
【背景技術】
【０００２】
液晶表示装置は、その液晶表示パネルの大型化の傾向にともない、バックライトとして面状光源の均一化が図れる直下型のものが使用されている。
【０００３】
このようなバックライトは、光反射機能を有する下フレーム（基台）の前記液晶表示パネルに対向する面内に、複数の蛍光管がその長手方向と直交する方向に並設されている。これら各蛍光管はその両端の電極の部分で電極金具によって挟持されており、電極金具は前記基台の両端に配置される。
【０００４】
そして、電極金具は、前記蛍光管の並設方向に延在する帯状の導電材からなる電極支持材上に複数形成される。すなわち、電極支持材は複数の蛍光管を挟持する機能を有する。
【０００５】
このため、バックライト内の複数の蛍光管は、基台の両端の電極支持材及び電極金具により、並列に接続される。
【０００６】
また、前記基台の背面には蛍光管を点灯制御するためのインバータを搭載した電源制御回路基板が搭載され、この電源制御回路基板の一方の電源供給端子は配線（ケーブル）を介して一端側の前記電極支持材に接続され、他方の電源供給端子は配線（ケーブル）を介して他端側の前記電極支持材に接続されるようになっており、これにより前記各外部電極蛍光管に電源が供給されるようになっている。
【０００７】
このような外部電極蛍光管を用いたバックライトを備える液晶表示装置は、たとえば下記特許文献１に開示がなされている。
【特許文献１】特開２００５−３４７２５９号公報
【発明の開示】
【発明が解決しようとする課題】
【０００８】
上述した構成の液晶表示装置において、前記電極支持材にそれぞれ接続された前記電源制御回路基板に接続するための配線は、前記電源制御回路基板に接続される側の端部においてコネクタを備えて構成され、これらコネクタは前記電源制御回路基板に搭載されたコネクタに電気的に結合できるようになっている。
【０００９】
電源制御回路基板の配置位置は、下フレームに対して面積は小さいため、通常は、いずれか片方の前記電極支持材側の裏面に配置される。
【００１０】
そのため、前記電極支持材にそれぞれ接続された各配線のうち、一方の配線は、他の配線よりも長く形成しなければならない場合があり、この場合、長く形成した方の配線は、前記下フレームに溝やフックを形成し、配線を下フレームに固定する等の引き回しの工夫がなされる。
【００１１】
しかしながら、前記配線の下フレームへの固定位置から前記電源制御回路基板までの間は、組立性を向上するために、配線を可動自由な状態に開放しなければならない。そのため、下フレーム固定位置から先の配線は、電源制御回路基板への接続が終わるまでは、ふらつきが生じ得る状態となることを免れ得ない。
【００１２】
このことは、たとえば、前記電源制御回路基板が下フレーム等からなる前記基台に取り付けられる以前の段階で、該下フレームを運搬する際において、下フレーム固定位置から先の配線が頻繁に揺動し、下フレームへの干渉を繰り替えし、配線の断線やコネクタの破損が、発生し易くなるという不都合が生じる。
【００１３】
本発明の目的は、光源と光源を制御する電源制御回路基板が配線接続されたバックライトを有する液晶表示装置において、組立性を向上した液晶表示装置を提供することにある。
【課題を解決するための手段】
【００１４】
本願において開示される発明のうち、代表的なものの概要を簡単に説明すれば、以下のとおりである。
【００１５】
液晶表示パネルと、前記液晶表示パネルの一方の面側に配置されるバックライトと、前記バックライトの前記液晶表示パネルに対抗する面と反対側の面に搭載され、前記バックライトの点灯制御を行なう電源制御回路基板を備え、
前記バックライトは、フレーム部材と、当該フレーム部材内に並列に配置された複数の棒状光源と、前記複数の棒状光源の一方の端に電気的に接続された第１の電極支持材と、前記複数の棒状光源の他方の端に電気的に接続された第２の電極支持材を有し、
前記フレーム部材の一部に、前記第１電極支持材および第２電極支持材のうちの少なくとも一方と前記電源制御回路基板とを電気的に接続する配線が配置される配線ガイド部材が設けられ、
前記配線ガイド部材は、前記配線が配置される溝状の凹陥部と、当該凹陥部とは異なる位置に設けられ、前記凹陥部に配置された配線が前記電源制御回路基板に接続されていない場合に前記配線を固定させる配線仮固定部が設けられていることを特徴とする。
【００１６】
また更には、液晶表示パネルと、前記液晶表示パネルの一方の面側に配置されるバックライトと、前記バックライトの前記液晶表示パネルに対抗する面と反対側の面に搭載され、前記バックライトの点灯制御を行なう電源制御回路基板を備え、
前記バックライトは、フレーム部材と、当該フレーム部材内に並列に配置された複数の棒状光源と、前記複数の棒状光源の一方の端に電気的に接続された第１の電極支持材と、前記複数の棒状光源の他方の端に電気的に接続された第２の電極支持材を有し、
前記フレーム部材の一部に、前記第１電極支持材および第２電極支持材のうちの少なくとも一方と前記電源制御回路基板とを電気的に接続する配線が配置される配線ガイド部材が設けられ、
前記配線の前記電源制御回路基板に接続される端部には第１のコネクタが形成され、
前記配線ガイド部材は、前記配線が配置される溝状の凹陥部と、当該凹陥部とは異なる位置に設けられ、前記凹陥部に配置された配線が前記電源制御回路基板に接続されていない場合に前記第１のコネクタが差込可能なコネクタ仮固定部を備えることを特徴とする。
【００１７】
なお、本発明は以上の構成に限定されず、本発明の技術思想を逸脱しない範囲で種々の変更が可能である。
【発明の効果】
【００１８】
このように構成された液晶表示装置は、電源制御回路基板にコネクタを介して接続される光源からの配線が、前記電源制御回路基板との非結合状態であっても、固定可能であるため、該コネクタの下フレームへの干渉の回避を図ることができる。
【発明を実施するための最良の形態】
【００１９】
以下、本発明による液晶表示装置の実施例を図面を用いて説明をする。
【００２０】
〈全体構成〉
図２は、本発明による液晶表示装置の一実施例を示す概略構成図である。
【００２１】
まず、観察者側から、液晶表示パネルＰＮＬ、光学シートＯＳ、およびバックライトＢＬが順次配置されている。
【００２２】
液晶表示パネルＰＮＬは、一対の平行配置されたたとえばガラスからなる基板ＳＵＢ１、ＳＵＢ２を外囲器とし、これら各基板ＳＵＢ１、ＳＵＢ２ の間に液晶が介在されて構成されている。
【００２３】
前記基板ＳＵＢ１、ＳＵＢ２の液晶側の面には、マトリックス状に配置された画素（図示せず） が前記液晶を一構成要素として形成され、これら各画素に当該液晶の光透過率を制御できるようになっている。
【００２４】
そして、これら各画素が形成された領域を液晶表示領域ＡＲ（図中一点鎖線枠で囲まれた領域）とし、後述のバックライトＢＬからの光を該液晶表示領域ＡＲの全域にわたって照射し、各画素を透過する光を通して観察者に映像を認識させるようになっている。
【００２５】
観察者側に対して後方に配置された基板ＳＵＢ１はたとえばその図中左側辺および上側辺において基板ＳＵＢ２から露出された部分を有し、これらの部分において、複数の半導体装置ＳＣＤの一辺側が接続されるようになっている。これら半導体装置ＳＣＤはいわゆるテープキャリア方式の半導体装置からなり、配線が形成されたフレキシブル基板ＦＢの上面に半導体チップＣＨが搭載されて構成されている。
【００２６】
これら各半導体装置ＳＣＤは前記各画素を独立に駆動させる回路からなっている。これら半導体装置ＳＣＤのうち図中ｘ方向に並設される半導体装置ＳＣＤ（映像信号駆動回路）は前記基板ＳＵＢ１と接続された一辺側と対向する他の辺側にプリント基板ＰＣＢ１ が接続され、該プリント基板ＰＣＢ１を介して外部入力信号が入力されるようになっている。
【００２７】
また、前記半導体装置ＳＣＤのうち図中ｙ方向に並設される半導体装置ＳＣＤ（走査信号駆動回路）は、その外部入力信号が基板ＳＵＢ１の表面に形成された配線（図示せず）を介して入力されるようになっているため、前記プリント基板ＰＣＢ１に相当するプリント基板は接続されていない構成となっている。
【００２８】
そして、液晶表示パネルＰＮＬの背面には、たとえば拡散シート、プリズムシート、あるいはこれらの積層体からなる光学シートＯＳを介してバックライトＢＬが配置されている。光学シートＯＳは、バックライトＢＬからの光を拡散、あるいは集光させたりして液晶表示パネルＰＮＬ側へ導くようになっている。
【００２９】
バックライトＢＬは、いわゆる直下型と称されるもので、液晶表示パネルＰＮＬと平行な平面内に図中ｘ方向に長手方向を一致させ図中ｙ方向に並設させた複数の外部電極蛍光管ＥＦＬを有し、これら各外部電極蛍光管ＥＦＬはたとえば金属から構成され箱体状をなす下フレームＤＦＲによって支持されている。
【００３０】
下フレームＤＦＲの表面には反射シートＲＳが載置され、この反射シートＲＳの図中上側と下側の各辺部は、屈曲によって周辺を高くした側壁面ＢＷ（図３参照）が形成されるようになっている。
【００３１】
なお、下フレームＤＦＲの図中右側と左側の各辺部には、前記外部電極蛍光管ＥＦＬの両端の電極を被うようにして、たとえば樹脂材からなる側壁板ＢＷｈがその外方側を高くした傾斜を有して配置されている。なお、この側壁板ＢＷｈは、その低い側の辺において各外部電極蛍光管ＥＦＬとの干渉を回避するための切欠きＣＣが形成されている。
【００３２】
この側壁板ＢＷｈは、その前記液晶表示パネルＰＮＬ側の面において光反射機能を有し、前記反射シートＲＳの側壁面ＢＷとともに、バックライトＢＬの実質的な側壁部を構成するようになっている。バックライトＢＬの構成については後にさらに詳述する。
【００３３】
〈モジュール化構成〉
また、これら液晶表示パネルＰＮＬ、光学シートＯＳ、およびバックライトＢＬは、図３に示すように、前記下フレームＤＦＲに対してそれぞれ固定配置される上フレームＵＦＲおよび中間フレームＭＦＲによって構成され、液晶表示パネルＰＮＬと組み合わされてモジュール化された液晶表示装置として構成されるようになっている。なお、図３は図２のIII−III線に相当する個所の断面を示している。
【００３４】
上フレームＵＦＲは、観察者側において、少なくとも液晶表示パネルＰＮＬの液晶表示領域ＡＲを露出させる開口ＯＰが形成されている。
【００３５】
なお、液晶表示パネルＰＮＬの基板ＳＵＢ１に接続された半導体装置ＳＣＤは、そのフレキシブル基板ＦＢの個所でプリント基板ＰＣＢ１と接続された側を直交するように折り曲げて配置させるようになっている。液晶表示装置のいわゆる狭額縁化を図るためである。
【００３６】
また、図３に示すように、下フレームＤＦＲの背面には、前記外部電極蛍光管ＥＦＬに電源を供給し、点灯制御するためのインバータが設けられた電源制御回路基板ＰＷＣが搭載されている。この電源制御回路基板ＰＷＣは、下フレームＤＦＲを液晶表示パネルＰＮＬ側から観た場合に、たとえば該下フレームＤＦＲの左下側の背面に（図４において点線枠で示す）に搭載されるようになっている。
【００３７】
さらに、下フレームＤＦＲの背面には、前記下フレームの一対のｘ方向辺のうち下側の辺部に、たとえば樹脂で形成された配線ガイド板ＷＧＢが取り付けられている。前記外部電極蛍光管ＥＦＬの両端の各電極は前記電源制御回路基板ＰＷＣに電気的に接続されるようになっており、前記電源制御回路基板ＰＷＣに対して遠くに位置づけられる前記外部電極蛍光管ＥＦＬの電極と該電源制御回路基板ＰＷＣとの電気的接続は、前記配線ガイド板ＷＧＢによって案内された配線ＷＲ１を介してなされるようになっている。この配線ガイド板ＷＧＢと前記配線ＷＲ１については後にさらに詳述する。
【００３８】
〈バックライト〉
図４（ａ）は、図２に示した前記バックライトＢＬのみを抜き出した図を示し、図４（ｂ）は、図４（ａ）に示すバックライトＢＬから前記側壁板ＢＷｈを取り外した状態を示した図である。
【００３９】
側壁板ＢＷｈは、それぞれ、下フレームＤＦＲに固定されたたとえば樹脂材からなる電極支持台ＴＭＴ上に重ねて配置され、該側壁板ＢＷｈを電極支持台ＴＭＴから取り外すことにより、電極支持台ＴＦＴの表面に配置された電極支持材ＴＭＳが露出されるようになっている。
【００４０】
電極支持材ＴＭＳは、外部電極蛍光管ＥＦＬの電極を支持し、かつ電気的に接続させる電極金具ＴＭＦを複数備えて構成される。当該電極支持材ＴＭＳは、該電極金具ＴＭＦと共にプレス加工によって形成されるようになっている。
電極支持材ＴＭＳは、下フレームＤＦＲ内の短辺側両辺にそれぞれ設けられ、何れの電極支持材ＴＭＳも同じ構造である。
【００４１】
電極支持材ＴＭＳは、たとえばその長手方向の一端において螺子ＳＣを用いて前記電極支持台ＴＭＴに固定されている。電極金具ＴＭＦの長手方向の一端のみに支持台ＴＭＴとの固定を図っているのは、該電極金具ＴＭＦがその熱膨張によって該電極支持材ＴＭＳから浮上する撓みの発生を防止するためである。
【００４２】
ちなみに、電極支持材ＴＭＳに対し側壁板ＢＷｈを固定（たとえば螺子により）させた場合、該側壁板ＢＷｈの電極支持材ＴＭＳと対向する側の面に該電極支持材ＴＭＳの長手方向に沿って間欠的に形成された複数の突起（図示せず）によって電極支持材ＴＭＳは電極支持台ＴＭＴに軽く押さえられるようになっている。
【００４３】
〈電極支持材〉
図５（ａ）は、図４（ｂ）に示した電極支持材ＴＭＳの詳細を示した図で、図４（ｂ）の点線枠αにおける拡大図を示した図である。また、図５（ｂ）は図５（ａ）のｂ−ｂ線における断面図である。
【００４４】
図５（ａ）に示すように、電極支持材ＴＭＳは、電極金具ＴＭＦを固定する基部ＢＰとこの基部ＢＰの各端側で共通に接続する左側接続部ＪＣ（Ｌ）と右側接続部ＪＣ（Ｒ）を有し、これら基部ＢＰと各接続部ＪＣ（Ｌ）、ＪＣ（Ｒ）は、平面的に観た場合、はしご状のパターンをなして形成されている。
【００４５】
電極金具ＴＭＦはたとえば基部ＢＰ上に３個並設されて形成されている。これら３個の電極金具ＴＭＦはそれぞれ外部電極蛍光管ＥＦＬの一方の電極に対し電気的に接続させるように構成され、その接続の信頼性を図るようにしている。
【００４６】
電極金具ＴＭＦは、図５（ｂ）に示すように、外部電極蛍光管ＥＦＬの電極を両脇から挟持する一対の相対向する舌片を備えた二股構造として構成されている。すなわち、基部ＢＰの両脇からたとえば鉛直方向に屈曲された一対の支持部ＳＰを備え、これら支持部ＳＰは外部電極蛍光管ＥＦＬの電極をその周側面の対向する側からそれぞれ押圧する円弧部を備えている。また、電極金具ＴＭＦは導入部ＩＴを備え、この導入部ＩＴによって、外部電極蛍光管ＥＦＬの電極を電極金具ＴＭＦに導く際の便が図れるようになっている。なお、図５（ｂ）に示す点線丸は外部電極蛍光管ＥＦＬの電極の外周を示している。
【００４７】
このように構成された電極支持材ＴＭＳは、図５（ｂ）に示すように、その左側に配置される電極支持材ＴＭＳ（図中、ＴＭＳ（Ｌ）で示す）において、たとえば電極支持台ＴＭＴとの螺子ＳＣによる固定部から配線ＷＲ２が引き出され、この配線ＷＲ２は下フレームＤＦＲに形成された透孔（あるいは切欠き）ＴＨ２を通して該下フレームＤＦＲの背面に引き出され、また、右側に配置される電極支持材ＴＭＳ（図中、ＴＭＳ（Ｒ）で示す）において、たとえば電極支持台ＴＭＴとの螺子ＳＣによる固定部から配線ＷＲ３が引き出され、この配線ＷＲ３は下フレームＤＦＲに形成された透孔（あるいは切欠き）ＴＨ３を通して該下フレームＤＦＲの背面に引き出されるようになっている。
【００４８】
上述したように下フレームＤＦＲの背面には電源制御回路基板ＰＷＣが搭載され、この電源制御回路基板ＰＷＣを介した電源が、配線ＷＲ２、ＷＲ３を通して電極支持材ＴＭＳ（Ｌ）、ＴＭＳ（Ｒ）に供給されるようになっているからである。
【００４９】
〈電源制御回路基板と配線ガイド板〉
図６は、下フレームＤＦＲの背面側から観た平面図で、図５（ａ）あるいは（ｂ）に示した下フレームＤＦＲを左右逆にして裏返した状態を示している。
【００５０】
図６において、電極支持材ＴＭＳ（Ｌ）に接続された配線ＷＲ２は、透孔ＴＨ２を通して下フレームＤＦＲの裏面に引き出され、その延在端において電源制御回路基板ＰＷＣに搭載されるコネクタＣＮ２'と電気的結合がなされるコネクタＣＮ２が接続されている。
【００５１】
この場合、配線ＷＲ２の下フレームＤＦＲの裏側に引き出される部分は、電源制御回路基板ＰＷＣと近接した個所となっているため、配線ＷＲ２は短く形成されるようになっている。
【００５２】
これに対し、電極支持材ＴＭＳ（Ｒ）に接続された配線ＷＲ３は、透孔ＴＨ３を通して下フレームＤＦＲの裏面に引き出される部分は、電源制御回路基板ＰＷＣと遠く離れた個所となっている。このため、配線ＷＲ３は、配線ガイド板ＷＧＢに案内される配線ＷＲ１を経由させて電源制御回路基板ＰＷＣと電気的接続が図れるようになっている。すなわち、配線ＷＲ３は短く形成されるようになっている。
【００５３】
下フレームＤＦＲの図中下側辺には、該辺に沿って前記配線ガイド板ＷＧＢが取り付けられている。配線ガイド板ＷＧＢは、一方の端が前記透孔ＴＨ３に近接し、他端側が前記電源制御回路基板ＰＷＣに近接して位置づけられる。
【００５４】
前記配線ガイド板ＷＧＢには、該配線ガイド板ＷＧＢの長手方向に沿って案内された配線ＷＲ１を備え、配線ＷＲ１の両端は、コネクタＣＮ３と電気的結合がなされる前記コネクタＣＮ１ａと、コネクタＣＮ１'と電気的結合がなされる前記コネクタＣＮ１ｂが接続される。
【００５５】
この配線ＷＲ１の電源制御回路基板ＰＷＣ側の延在端は、前記配線ガイド板ＷＧＢによる案内が解除される位置（配線ガイド板ＷＧＢからの離脱する位置）から先も充分な余裕をもって長く形成される。
【００５６】
なお、図６に示すように、配線ガイド板ＷＧＢには、その両端のそれぞれの近傍において、係止部ＦＣが形成され、これら係止部ＦＣによって配線ＷＲ１の配線ガイド板ＷＧＢからの離脱を防止できるようになっている。
【００５７】
また、電源制御回路基板ＰＷＣには、コネクタＣＮ１'、ＣＮ２'の他に電気部品が搭載されているが、図６では、該電気部品の描画は省略している。
【００５８】
〈配線ガイド板の詳細〉
図１（ａ）は、配線ガイド板ＷＧＢの電源制御回路基板ＰＷＣに近接する側の部分を示した平面図である。なお、図１（ｂ）、図１（ｃ）、および図１（ｄ）は、それぞれ、図１（ａ）のｂ−ｂ線、ｃ−ｃ線、ｄ−ｄ線における断面図である。
【００５９】
配線ガイド板ＷＧＢには、その長手方向に沿って配線ＷＲ１が収納される凹陥部ＤＮＴが形成され、凹陥部ＤＮＴの壁面には凸部ＰＪが間欠的に複数設けられ（図では１個のみ示している）、ここの部分において狭隙間部が形成されている。凹陥部ＤＮＴから配線ＷＲ１の離脱を困難にするためである。
【００６０】
また、係止部ＦＣは、図１（ｄ）に示すように、一端が配線ガイド板ＷＧＢに固定され、凹陥部ＤＮＴを被うようにした片持ち部材によって構成されている。凹陥部ＤＮＴに配置された配線ＷＲ１は、それが配線ガイド板ＷＧＢに対し上方に引っ張られるようなことがあっても係止部ＦＣによって該引っ張りによる移動（配線ガイド板ＷＧＢからの離脱）が妨げられるようになっている。
【００６１】
さらに、配線ガイド板ＷＧＢには、係止部ＦＣが形成された反対側の壁面に、配線仮固定部ＷＦが形成されている。この配線仮固定部ＷＦは、コネクタＣＮ１ｂ側の係止部ＦＣに近傍であって、配線ガイド板ＷＧＢの長手方向に沿ってたとえば２個設けられる。それぞれの配線仮固定部ＷＦは、一端が配線ガイド板ＷＧＢに固定され該配線ガイド板ＷＧＢの上面を被って形成される片持ち部材によって構成されている。
【００６２】
図１は、配線ＷＲ１のコネクタＣＮ１ｂをいまだ電源制御回路基板ＰＷＣのコネクタＣＮ１'に電気的な結合を行っていない状態を示した図である。
【００６３】
該配線ＷＲ１の配線ガイド板ＷＧＢの係止部ＦＣからコネクタＣＮ１ｂまでの部分は比較的長く形成されている。このため、電源制御回路基板ＰＷＣが下フレームＤＦＲに取り付けられていない段階で該下フレームＤＦＲを運搬する際において、配線ＷＲ１の係止部ＦＣから前記コネクタＣＮ１ｂまでの部分は、係止部ＦＣを中心して揺動するようになる。このような状態では、運搬時、組立時に配線ＷＲ１が非常に邪魔になる。また、作業中の人為的なミスにより、配線ＷＲ１が断線する恐れがある。また更には、コネクタＣＮ１ｂが下フレームＤＦＲに頻繁な干渉を繰り替えし、破損する可能性もある。
【００６４】
このため、本実施例では、配線仮固定部ＷＦを備えたことにより、配線ＷＲ１の配線ガイド板ＷＧＢの係止部ＦＣからコネクタＣＮ１ｂまでの部分は、運搬時に、配線仮固定部ＷＦに仮固定できるようになっている。
【００６５】
図７は、図１と対応した図となっており、配線ＷＲ１の配線ガイド板ＷＧＢの係止部ＦＣから前記コネクタＣＮ１ｂまでの部分を係止部ＦＣの箇所において屈曲させ、コネクタＣＮ１ｂの近傍における配線ＷＲ１を配線仮固定部ＷＦによって仮固定させた場合を示した図である。
【００６６】
これにより、下フレームＤＦＲを運搬する際において配線ＷＲ１の配線ガイド板ＷＧＢの係止部ＦＣから前記コネクタＣＮ１ｂまでの部分が揺動してしまうことはなくなり、コネクタＣＮ１ｂが下フレームＤＦＲに干渉するような状態を防ぐことが可能になる。
【００６７】
〈他の実施例〉
図８は、本発明による液晶表示装置の他の実施例を示す要部構成図で、図１に対応した図となっている。
【００６８】
上述した実施例では、配線ＷＲ１の係止部ＦＣからコネクタＣＮ１ｂまでの部分の揺動を防止するために、配線ガイド板ＷＧＢに仮係止部ＷＦを設けるようにしたものである。しかし、コネクタＣＮ１ｂのみを配線ガイド板ＷＧＢに仮固定できるようにしてもよい。その例を図８に示す。
【００６９】
図８において、配線ガイド板ＷＧＢ上の係止部ＦＣの近傍に、コネクタＣＮ１ｂを挿入できるダミーコネクタＤＮを備えたコネクタ仮固定部ＣＦが設けられている。このコネクタ仮固定部ＣＦは、係止部ＦＣに対し図中左側に形成されているが右側に形成されていてもよい。
【００７０】
図９は、図８と対応した図となっており、コネクタＣＮ１ｂをコネクタ仮固定部ＣＦに挿入し、該コネクタＣＮ１ｂを仮固定させた場合を示した図である。
【００７１】
これにより、下フレームＤＦＲを運搬する際において、コネクタＣＮ１ｂが下フレームＤＦＲに干渉するような状態を防ぐことが可能になる。
【００７２】
上述した各実施例はそれぞれ単独に、あるいは組み合わせて用いても良い。それぞれの実施例での効果を単独であるいは相乗して奏することができるからである。
【図面の簡単な説明】
【００７３】
【図１】本発明による液晶表示装置の一実施例を示す概略構成図である。
【図２】本発明による液晶表示装置の一実施例をモジュール化した形態で示した断面図である。
【図３】本発明による液晶表示装置に備えられるバックライトを示した平面図であり、（ａ）は側壁板ＢＷｈが備えられた状態を示す図、（ｂ）は側壁板ＢＷｈを取り除いた状態を示す図である。
【図４】前記バックライトに取り付けられる電極支持材とこの電極支持材に備えられる電極金具を示した構成図である。
【図５】前記バックライトの下フレームを背面側から観た平面図である。
【図６】本発明による液晶表示装置に備えられる配線ガイド板の一実施例を示す構成図である。
【図７】図６に示した配線ガイド板の使用態様を示した説明図である。
【図８】本発明による液晶表示装置に備えられる配線ガイド板の一実施例を示す構成図である。
【図９】図６に示した配線ガイド板の使用態様を示した説明図である。
【符号の説明】
【００７４】
ＰＮＬ……液晶表示パネル、ＯＳ……光学シート、ＢＬ……バックライト、ＡＲ……液晶表示領域、ＳＣＤ……半導体装置（テープキャリア方式）、ＦＢ……フレキシブル基板、ＣＨ……半導体チップ、ＰＣＢ１、ＰＣＢ２……プリント基板、ＤＦＲ……下フレーム、ＲＳ……反射シート、ＥＦＬ……外部電極蛍光管、ＢＷｈ……側壁板、ＵＦＲ……上フレーム、ＭＦＲ……中間フレーム、ＰＷＣ……電源制御回路基板、ＷＧＢ……配線ガイド板、ＷＲ１、ＷＲ２、ＷＲ３……配線、ＣＣ……切欠き、ＴＨ２、ＴＨ３……透孔、ＴＭＴ……電極支持台、ＴＭＳ……電極支持材、ＴＭＦ……電極金具、ＳＣ……螺子、ＷＦ……配線仮固定部、ＣＦ……コネクタ仮固定部、ＦＣ……係止部、ＰＪ……凸部、ＤＮＴ……凹陥部、ＤＮ……ダミーコネクタ。
【図１】
0005055067.tif 000002
【図２】
0005055067.tif 000003
【図３】
0005055067.tif 000004
【図４】
0005055067.tif 000005
【図５】
0005055067.tif 000006
【図６】
0005055067.tif 000007
【図７】
0005055067.tif 000008
【図８】
0005055067.tif 000009
【図９】
0005055067.tif 000010